(57)【要約】      （修正有）【課題】電池収納部の高さを低減することで、電子機器の厚みを薄くする。【解決手段】ラベル作成装置は、円筒形状の乾電池３２又は直方体形状の充電池から電力を供給されて駆動される電子機器であり、乾電池３２又は充電池を択一的に収納可能な電池収納部を有し、電池収納部は、乾電池３２の収納時に、複数の乾電池３２が俵積み状に２段以上に積み重ねて配置されると共に、各段において隣り合う乾電池３２同士が離隔して配置されるように、構成される。【選択図】図８
2014167853.tif 000002
【特許請求の範囲】
【請求項１】
円筒形状の乾電池又は直方体形状の充電池から電力を供給されて駆動される電子機器であって、
前記乾電池又は前記充電池を択一的に収納可能な電池収納部を有し、
前記電池収納部は、
前記乾電池の収納時に、複数の前記乾電池が俵積み状に２段以上に積み重ねて配置されると共に、各段において隣り合う前記乾電池同士が離隔して配置されるように、構成される
ことを特徴とする電子機器。
【請求項２】
請求項１記載の電子機器において、
前記電池収納部を覆うカバーをさらに有し、
前記電池収納部は、
前記乾電池の段積み方向を高さ方向、前記高さ方向において前記乾電池の段が積み増しされる方向を上方向とした場合に、
収納状態における前記乾電池の最上段の上端部の高さと、収納状態における前記充電池の上面の高さとが略一致するように、構成される
ことを特徴とする電子機器。
【請求項３】
請求項１又は請求項２記載の電子機器において、
前記電池収納部は、
収納状態における前記乾電池の長手方向と、収納状態における前記充電池の長手方向とが、略直交するように構成される
ことを特徴とする電子機器。
【請求項４】
請求項３記載の電子機器において、
前記電池収納部は、
前記充電池の収納時に当該充電池の短手方向の端面に当接する側壁と、
前記側壁に設けられ、前記乾電池の収納時に当該乾電池の正極に当接する第１端子が設けられる第１凹部と、
前記側壁に設けられ、前記乾電池の収納時に当該乾電池の負極に当接する第２端子が設けられる第２凹部と、を備え、
前記第２凹部の前記側壁からの凹み量が、前記第１凹部の前記凹み量よりも大きくなるように構成される
ことを特徴とする電子機器。
【請求項５】
請求項１乃至請求項４のいずれか１項記載の電子機器において、
前記電池収納部は、
前記乾電池の収納時に、各段における前記乾電池同士の正極と負極の向きが同じとなり、且つ、隣接する段における前記乾電池同士の正極と負極の向きが反対となるように、構成される
ことを特徴とする電子機器。
【請求項６】
請求項１乃至請求項５のいずれか１項記載の電子機器において、
前記電池収納部は、
前記複数の乾電池が俵積み状に２段に積み重ねて配置されると共に、各段における前記乾電池の数が同数となるように、構成される
ことを特徴とする電子機器。
【請求項７】
請求項６記載の電子機器において、
前記電池収納部は、
６個の乾電池が俵積み状に２段に積み重ねて配置されると共に、各段における前記乾電池の数が３個となるように、構成される
ことを特徴とする電子機器。
【請求項８】
請求項１乃至請求項７のいずれか１項記載の電子機器において、
前記電池収納部に収納された前記乾電池又は前記充電池から電力を供給されて駆動され、装着したカートリッジより供給される被印字テープに対し印字手段により印字を行い、ラベルを作成する携帯型のラベル作成装置である
ことを特徴とする電子機器。
【発明の詳細な説明】
【技術分野】
【０００１】
本発明は、乾電池又は充電池から電力を供給されて駆動される電子機器に関する。
【背景技術】
【０００２】
例えば特許文献１には、一次電池としての乾電池と、二次電池としての充電池の両方を使い分けてそれぞれ使用することができる電池収納装置が記載されている。この電池収納装置は、携帯用の小型ビデオカメラ等の電子機器に一体的に取り付けられて使用される。
【先行技術文献】
【特許文献】
【０００３】
【特許文献１】特開平８−１６２０８０号公報
【発明の概要】
【発明が解決しようとする課題】
【０００４】
上記電池収納装置は、小型ビデオカメラ等の携帯用電子機器に一体的に取り付けられて使用される。このため、可能な限り小型化されるのが好ましい。
【０００５】
上記電池収納装置では、乾電池の収納時に、複数の乾電池が俵積み状に２段に積み重ねて配置される。このとき、上段において隣り合う乾電池同士が接触して配置されるので、積み重ねて配置された乾電池の段積み方向の高さが高くなってしまい、電池収納装置の厚みが大きくなる原因となっていた。
【０００６】
本発明の目的は、電池収納部の高さを低減することで、厚みを薄くすることができる電子機器を提供することにある。
【課題を解決するための手段】
【０００７】
上記目的を達成するために、本願発明は、円筒形状の乾電池又は直方体形状の充電池から電力を供給されて駆動される電子機器であって、前記乾電池又は前記充電池を択一的に収納可能な電池収納部を有し、前記電池収納部は、前記乾電池の収納時に、複数の前記乾電池が俵積み状に２段以上に積み重ねて配置されると共に、各段において隣り合う前記乾電池同士が離隔して配置されるように、構成されることを特徴とする。
【０００８】
本発明の電子機器は、乾電池又は充電池を択一的に収納可能な電池収納部を有する。電子機器は、この電池収納部に収納された乾電池又は充電池から電力を供給されて駆動される。
【０００９】
本発明では、電池収納部に乾電池を収納した際に、複数の乾電池が俵積み状に２段以上に積み重ねて配置されると共に、各段において隣り合う乾電池同士が離隔して配置される。これにより、各段において隣り合う乾電池同士が接触して配置される場合よりも、隣接する段（例えば１段目と２段目）での乾電池同士の段積み方向の重なり幅を大きくすることができる。その結果、積み重ねて配置された複数の乾電池の段積み方向の高さを低減する（言い換えれば電池収納部の高さを低減する）ことが可能となるので、電子機器の厚みを薄くすることができる。したがって、電子機器をコンパクト化できる。
【００１０】
また、隣接する段での乾電池同士の段積み方向の重なり幅が大きくなることから、乾電池の幅方向（横方向）の移動が規制され、乾電池のガタツキ防止効果を高めることができる。
【発明の効果】
【００１１】
本発明によれば、電池収納部の高さを低減することで、厚みを薄くすることができる。
【図面の簡単な説明】
【００１２】
【図１】本発明の一実施形態のラベル作成装置の前方側の外観を表す斜視図である。
【図２】本発明の一実施形態のラベル作成装置の後方側の外観を表す斜視図である。
【図３】カバーの内側の構造を表す斜視図である。
【図４】電池が収納されていない状態の装置本体の後方側の内部構造を表す斜視図である。
【図５】電池が収納されていない状態の装置本体の後方側の内部構造を表す平面図である。
【図６】乾電池が収納された状態の装置本体の後方側の内部構造を表す斜視図である。
【図７】充電池が収納された状態の装置本体の後方側の内部構造を表す斜視図である。
【図８】複数個の乾電池を各段の乾電池同士の間に間隔を空けて俵積み状に積層した場合と、複数個の乾電池を各段の乾電池同士の間に間隔を空けずに俵積み状に積層した場合の電池収納部の設置スペースを比較して表す説明図である。
【発明を実施するための形態】
【００１３】
以下、本発明の一実施の形態を図面を参照しつつ説明する。なお、以下の説明において、ラベル作成装置１について「上」、「下」、「前」、「後」、「幅」というときは、図１等の各図中に適宜示す矢印方向に各々対応し、ラベル作成装置１について「厚さ」というときは、前後方向の厚さを指すものとする。
【００１４】
＜ラベル作成装置の全体構造＞
図１及び図２に示すように、ラベル作成装置１は、ユーザの手によって把持されるハンディ型の電子機器である。ラベル作成装置１は、装置本体２と、この装置本体２の後部面に着脱自在に取り付けられるカバー３とを備えている。
【００１５】
装置本体２は、薄厚で上下方向に長い扁平な略直方体形状を有しており、装置本体２の前面には、上部に印刷データや設定画面等を表示するための液晶表示部４が設けられ、液晶表示部４の下側に、ラベル作成装置１を操作するためのキーボード部５が設けられている。このキーボード部５には、文字や記号、数字等の文字キー、及び種々の機能キーを含むキー群が配置されている。また装置本体２の幅方向一方側（図１中左側、図２中右側）の側壁部２ａの上部には、印刷済みラベル用テープを切断するためのカット操作レバー６が設けられている。
【００１６】
＜カバーの構造＞
図３にカバー３の内側の構造を示す。図３に示すように、カバー３は、底部４５と、底部４５の幅方向一方側（図３中左上側）に立設された側面部４６ａ及び幅方向他方側（図３中右下側）に立設された側面部４６ｂとを備え、上下方向からの側面視が略コの字状となるように形成されている。底部４５の上端部には、略中央部から装置本体２の厚さ方向に立設された突出片４７が形成されている。上記幅方向一方側の側面部４６ａは、立設方向（前後方向と同じ）の高さが上端部から下端部に向けて３段に分けて漸減する段部形状に形成されている。同様に、上記幅方向他方側の側面部４６ｂは、立設方向の高さが上端部から下端部に向けて２段に分けて漸減する段部形状に形成されている。
【００１７】
カバー３の底部４５の下端には、カバー３を装置本体２の後面部に取り付ける際に、装置本体２の下部２ｃの幅方向の２か所に設けられた係合孔２ｃ１（図４参照）に挿入する差し込み片４８が幅方向２か所に設けられている。
【００１８】
また、カバー３の底部４５の下部には、装置本体２の幅方向と上下方向に組んだ四角枠状の第１リブ４９と、当該第１リブ４９のさらに下側に近接して配置され、幅方向３箇所に円弧状の切り欠き５０ａを有する第２リブ５０とが立設されている。第１リブ４９の立設方向上端の高さと第２リブ５０の切り欠き５０ａの円弧中央部の立設方向の高さが略同一となるように、各リブ４９，５０の高さが各々設定されている。
【００１９】
第１リブ４９は、電池収納部３０（後述の図４、図５等を参照）に充電池３３（後述の図７を参照）を収納して、装置本体２の後面部にカバー３を取り付けた際に、充電池３３の表面に当接して押えるようになっている。また、第２リブ５０は、電池収納部３０に複数個の乾電池３２（後述の図６を参照）を俵積み状に収納して、装置本体２の後面部にカバー３を取り付けた際に、段積み方向（前後方向と同じ）の上段に位置する乾電池３２の上端を上記切り欠き５０ａに嵌合させつつ押えるようになっている。
【００２０】
カバー３を装置本体２の後面部に取り付けるには、カバー３の下端の２つの差し込み片４８を装置本体２の下部２ｃの２か所の係合孔２ｃ１に挿入し、カバー３の上端の突出片４７を装置本体２の上端の係止用開口部９（図４）に挿入して係止する。これにより、装置本体２の後面部にカバー３が取り付けられ、カバー３が装置本体２の後述するラベル作成部１０及び電池収納部３０を覆う。
【００２１】
＜ラベル作成装置のラベル作成機構＞
図４及び図５に示すように、装置本体２は、ラベル作成部１０と、電池収納部３０を備えている。ラベル作成部１０と電池収納部３０とは、図示しない制御基板やモータ等が収容された収容部８により区画されている。また、図４及び図５に示すように、装置本体２の上記幅方向一方側、他方側の側壁部２ａ及び２ｂには、カバー３の開放側の端部に対応した形状を有する段部７が設けられている。装置本体２の上端には係止用開口部９が設けられている。
【００２２】
ラベル作成部１０は、装置本体２の略上半分の大半を占めるように設けられた、カートリッジ１１を着脱自在に装着するための凹状のカートリッジホルダ１２と、カートリッジホルダ１２の上記幅方向他方側（図４及び図５中左側）を含む領域に設けられた印刷・搬送機構１３とを備えている。カートリッジ１１は、図５に示すように、内部に基材テープロール１４、カバーフィルムロール１５、インクリボンロール１６、インクリボン巻き取りローラ１７、及び搬送ローラ１８を備えている。
【００２３】
印刷・搬送機構１３は、基材テープロール１４の支持軸１９と、カバーフィルムロール１５の支持軸２０と、インクリボンロール１６の支持軸２１と、インクリボンの巻き取り軸２２と、サーマルヘッド２３（印字手段に相当）と、プラテンローラ２４と、搬送ローラ１８の駆動軸２５と、押圧ローラ２６等を備えている。プラテンローラ２４及び押圧ローラ２６は、ロールホルダ２７に取り付けられ、当該ロールホルダ２７の揺動によって、それぞれサーマルヘッド２３及び搬送ローラ１８に接触する印刷・搬送位置（図５等に示す位置）と、サーマルヘッド２３及び搬送ローラ１８から離間する待機位置（図示せず）とに切り替え可能である。
【００２４】
印字ラベル作成時、プラテンローラ２４及び押圧ローラ２６が印刷・搬送位置に切り替えられる。印刷・搬送位置に切り替えられたプラテンローラ２４は、装置本体２側の図示しない駆動軸による駆動で回転するとともに、カバーフィルムロール１５から繰り出されたカバーフィルム（被印字テープに相当）とインクリボンロール１６から繰り出されたインクリボンとをサーマルヘッド２３に押圧する。これにより、サーマルヘッド２３がカバーフィルムに対し印字データに従った所望の印字を行うとともに、プラテンローラ２４が印字の終了したカバーフィルムとインクリボンとを、搬送ローラ１８に向けて搬送する。印字が終了したインクリボンは、その後、カバーフィルムから分離されてインクリボン巻き取りローラ１７に巻き取られる。
【００２５】
一方、印刷・搬送位置に切り替えられた押圧ローラ２６は、プラテンローラ２４によって搬送された印字が終了したカバーフィルムと基材テープロール１４から繰り出された基材テープとを、駆動軸２５による駆動で回転する搬送ローラ１８に押圧する。これにより、印字が終了したカバーフィルムと基材テープとを貼り合せて印字済みラベル用テープを形成しつつ、搬送ローラ１８が印字済みラベル用テープを装置本体２の上端に設けられたラベル排出口２９に向けて搬送する。そして、印字済みラベル用テープがラベル排出口２９から排出された所定の時点でユーザがカット操作レバー６を手動操作することにより、ラベル排出口２９の近傍に配設されたカッタ２８が作動し、印字済みラベル用テープが切断されて所望の長さの印字ラベルが形成される。
【００２６】
＜電池収納部＞
上記図４及び図５に加えて図６乃至図８を参照して、電池収納部３０について説明する。以下の電池収納部３０の説明においては、説明の便宜上、図１〜図３に示すラベル作成装置１の「上」、「下」とは別に、図８に示すように、乾電池３２の段積み方向を高さ方向、当該高さ方向において段が積み増しされる方向（ラベル作成装置１の後方向と同じ）を「上」、その反対方向を「下」として、適宜説明する。なお、図８（ａ）は、電池収納部３０を装置本体２の下方向（図６中矢印Ａ方向）から見た乾電池３２の配置を概念的に示す図である。
【００２７】
電池収納部３０は、装置本体２の幅方向に長い平面視略長方形状の凹部として形成されており、複数個（この例では６個）の円筒形状の乾電池３２又は１個の直方体形状の充電池３３（例えばリチウムイオンバッテリーパック）を択一的に収納可能となっている。図６に示すように、６個の乾電池３２は、その長手方向を装置本体２の上下方向に一致させて複数段、この例では２段の俵積み状に積層し電池収納部３０に収納される。電池収納部３０に俵積み状に積層される６個の乾電池３２は、各段で同数、すなわち３個ずつ配置される。そして、隣り合う段の間では乾電池３２の電極の向きが異なり、同一の段では乾電池３２の電極の向きが同じとなるように配置される。図７に示すように、乾電池３２に代えて充電池３３を収納するときは、充電池３３は、乾電池３２と長手方向が直交するよう、長手方向を装置本体２の幅方向に一致させて電池収納部３０に収納される。
【００２８】
図４及び図５に示すように、装置本体２の上下方向に沿った電池収納部３０の一方側（図４及び図５中上側）と他方側（図４及び図５中下側）の位置には、電池収納部３０に収納される充電池３３の短手方向の端面にそれぞれ当接される第１側壁３４ａ及び第２側壁３４ｂが設けられている。装置本体２の幅方向に沿った電池収納部３０の一方側（図４及び図５中左側）の内壁部３１ａには、電池収納部３０に収納される充電池３３の長手方向一方側（図４及び図５中左側）の端面を押圧する板ばね３５が設けられ、電池収納部３０の他方側（図４及び図５中右側）の内壁部３１ｂには、充電池３３の長手方向他方側（図４及び図５中右側）の端面に位置する電極と接触する端子３６が設けられている。
【００２９】
充電池３３は、図７に示すように、電池収納部３０に長手方向を装置本体２の幅方向とした姿勢で収納され、長手方向一方側の端面を電池収納部３０の内壁部３１ａの板ばね３５によって押圧されるとともに、長手方向他方側の端面の図示しない電極が電池収納部３０の内壁部３１ｂの端子３６（図５参照）に接触する。
【００３０】
上記図４及び図５に示すように、第１側壁３４ａにおける電池収納部３０の高さ方向下側には、複数段（この例では２段）に積み重ねられる乾電池３２のうち、下段の乾電池３２の正極用の第１端子３７が幅方向に所定の間隔を空けて３つ設けられている。また、第２側壁部３４ｂにおける高さ方向下側には、上記正極用の第１端子３７と対向した位置に上記下段の乾電池３２の負極用の第２端子３８が３つ設けられている。また、第１側壁３４ａにおける高さ方向上側には、電池収納部３０に積み重ねられる乾電池３２のうち、上段の乾電池３２の負極用の第２端子３８が、上記下部の第１端子３７と装置本体２の幅方向に所定長変位させて同じ間隔を空けて３つ設けられている。また、第２側壁部３４ｂにおける高さ方向上側には、上記負極用の第２端子３８と対向した位置に乾電池３２の正極用の第１端子３７が３つ設けられている。第１端子３７は、例えば導電金属板からなる。第２端子３８は、導電金属の例えばコイルバネ（板バネでもよい）からなり、第１端子３７よりも嵩が大きい。
【００３１】
上記第１端子３７及び第２端子３８の設置間隔は、乾電池３２の正極３２ａを第１端子３７と接触し、乾電池３２の負極３２ｂを第２端子３８と接触させて、６個の乾電池３２を３個ずつ２段に俵積み状に積み重ねた際、図８（ａ）に示すように、上段、下段の各段において隣り合う乾電池３２同士の間に所定の間隔ｄが設けられて離隔して配置されるように設定される。なお、電池収納部３０の底部３１には、第１端子３７と第２端子３８との間に介挿される乾電池３２の胴部下端を載置する浅い凹部４２が設けられている。
【００３２】
第１端子３７は、第１側壁３４ａ及び第２側壁３４ｂに装置本体２の上下方向に凹むように設けられた第１凹部３９内に設置され、第２端子３８は、第１側壁３４ａ及び第２側壁３４ｂに装置本体２の上下方向に凹むように設けられた第２凹部４０内に設置される。第２凹部４０は、正極用の第１端子３７よりも嵩が大きい第２端子３８を設置することから、側壁３４ａ，３４ｂからの凹み量が、第１端子３７を設置する第１凹部３９よりも大きい。
【００３３】
６個の乾電池３２は、次のようにして電池収納部３０に収納される。まず１段目において、３個の乾電池３２が、正極３２ａ（図６参照）を第１側壁３４ａ側、負極３２ｂ（図６参照）を第２側壁３４ｂ側に向けるように電池収納部３０に挿入され、各乾電池３２が第１端子３７と第２端子３８との間に介挿される。これにより、正極３２ａが第１端子３７に接触し、負極３２ｂが第２端子３８に接触した状態になる。次に２段目において、残りの３個の乾電池３２が、上記と向きを反対にして、すなわち正極３２ａを第２側壁３４ｂ側、負極３２ｂを第１側壁３４ａ側に向けるように電池収納部３０に挿入され、各乾電池３２が第１端子３７と第２端子３８との間に介挿される。これにより、正極３２ａが第１端子３７に接触し、負極３２ｂが第２端子３８に接触した状態になる。
【００３４】
これにより、図８（ａ）に示すように、１段目、２段目の各段において隣り合う乾電池３２同士が間隔ｄずつ離隔して配置された状態となる。このとき、前述のように、第１リブ４９の立設方向の上端の高さと第２リブ５０の切り欠き５０ａの円弧中央部の立設方向の高さが略同一となることから、乾電池３２の最上段（２段目）の上端部の高さと、充電池３３が収納された際の当該充電池３３の上面の高さとが略一致する。その結果、図８（ａ）に示すように、電池収納部３０を装置本体２の上下方向から見た場合に、電池収納部３０に収納された充電池３４が占めるスペースＳ１内に、６個の乾電池３２の全てが収納される。
【００３５】
これに対し、図８（ｂ）に示す、各段の乾電池３２同士が間隔を空けずに接触するように乾電池３２が俵積み状に積層された比較例の場合は、上段の乾電池３２の上面の高さが上記充電池３３の設置スペースＳ１の上面よりも高くなる。その結果、乾電池３２を収納するのに充電池３３の設置スペースＳ１よりも段積み方向に高い設置スペースＳ２を要し、装置本体２の厚みが増大する。また、充電池３３の設置スペースＳ１に無駄なスペースＳ１′を生じることとなる。
【００３６】
＜実施形態の効果＞
以上説明したように、本実施形態のラベル作成装置１は、円筒形状の乾電池３２又は直方体形状の充電池３３を択一的に収納可能な電池収納部３０を有する。ラベル作成装置１は、この電池収納部３０に収納された乾電池３２又は充電池３３から電力を供給されて駆動される。
【００３７】
このとき、電池収納部３０に乾電池３２を収納した際に、複数（本実施形態では６個）の乾電池３２が俵積み状に２段以上（本実施形態では２段）に積み重ねて配置されると共に、各段において隣り合う乾電池３２同士が離隔して配置される。これにより、上記図８（ｂ）に示す比較例のように、各段において隣り合う乾電池３２同士が接触して配置される場合よりも、隣接する段（本実施形態では１段目と２段目）での乾電池３２同士の段積み方向の重なり幅ｗを大きくすることができる。その結果、積み重ねて配置された複数の乾電池３２の段積み方向の高さを低減する（言い換えれば電池収納部３０の高さを低減する）ことが可能となるので、ラベル作成装置１の厚みを薄くすることができる。したがって、ラベル作成装置１をコンパクト化できる。
【００３８】
また、隣接する段での乾電池３２同士の段積み方向の重なり幅ｗが大きくなることから、乾電池３２の幅方向（図８中左右方向）の移動が規制され、乾電池３２のガタツキ防止効果を高めることができる。
【００３９】
また、本実施形態では特に、次のような効果を奏する。すなわち、ラベル作成装置１が電池収納部３０を覆うカバー３を有する場合、上記図８（ｂ）に示す比較例のように収納状態での乾電池３２の最上段の上端部の高さと、収納状態での充電池３３の上面の高さが異なると、乾電池３２及び充電池３３の両方を覆うことができるように、カバー３は少なくともそれらの高さの差より大きな厚みを有する必要がある。これに対し、本実施形態では前述のように、電池収納部３０が、収納状態での乾電池３２の最上段の上端部の高さと、収納状態での充電池３３の上面の高さが略一致するように構成される。これにより、上述のようにそれらの高さが異なる場合よりも、カバー３の厚みを薄くできる。したがって、ラベル作成装置１の厚みをさらに薄くすることが可能となる。
【００４０】
また、本実施形態では特に、次のような効果を奏する。すなわち、乾電池３２は、その長手方向両側に正極３２ａと負極３２ｂを有し、略直方体状の充電池３３は、その長手方向の端面側に電極を有するのが一般的である。そこで本実施形態では、電池収納部３０が、収納状態における乾電池３２の長手方向と、収納状態における充電池３３の長手方向とが、略直交するように構成される。これにより、電池収納部３０において、乾電池３２用の端子３７，３８と充電池３３用の端子３６とを、略直交する異なる側壁（第１側壁３４ａ及び第２側壁３４ｂと内壁部３１ｂ）に各々分配して配置することができる。その結果、乾電池用の端子３７，３８と充電池用の端子３６を共通の側壁に集約して配置する場合よりも、当該側壁を小さくすることができるので、電池収納部３０を小型化でき、ラベル作成装置１をさらにコンパクト化できる。
【００４１】
また、本実施形態では特に、次のような効果を奏する。すなわち、一般に、乾電池３２の負極３２ｂに当接する第２端子３８には、乾電池３２を弾性的に付勢するためにコイルバネや板バネ等が用いられるので、第２端子３８は、正極３２ａに当接する第１端子３７よりも突出量が大きな端子となる。本実施形態では、このように比較的大きな端子である第２端子３８を設ける第２凹部４０の第１側壁３４ａ及び第２側壁３４ｂからの凹み量を、第１端子３７を設ける第１凹部３９の凹み量よりも大きくする。これにより、第１端子３７及び第２端子３８の両方を側壁３４（３４ａ，３４ｂ）より突出させることなく凹部３９，４０内に収容することが可能となるので、充電池３３を電池収納部３０に出し入れする際に端子３７，３８が邪魔になることがなく、充電池３３を円滑に着脱することができる。
【００４２】
また、本実施形態では特に、次のような効果を奏する。すなわち、上述のように、乾電池３２の負極３２ｂに当接する第２端子３８は正極３２ａに当接する第１端子３７よりも大きい。したがって、電池収納部３０の一方側の側壁（例えば第１側壁３４ａ）に第２端子３８を集中的に配置し、他方側の側壁（例えば第２側壁３４ｂ）に第１端子３７を集中的に配置した場合、端子配置がアンバランスとなり、一方側の側壁の面積増大による電池収納部３０の大型化を招く可能性がある。そこで本実施形態では、電池収納部３０において、複数の乾電池３２は、各段における乾電池３２同士の正極３２ａと負極３２ｂの向きが同じとなり、且つ、隣接する段における乾電池３２同士の正極３２ａと負極３２ｂの向きが反対となるように配置される。これにより、電池収納部３０の各側壁部３４ａ，３４ｂでは、段ごとに複数の第１端子３７と複数の第２端子３８が交互に配置されることとなるので、端子配置のバランスが良くなり、電池収納部３０を小型化できる。
【００４３】
また、本実施形態では特に、電池収納部３０において、複数の乾電池３２が俵積み状に２段に積み重ねて配置されると共に、各段における乾電池３２の数が同数となるように配置される。このように１段目と２段目の乾電池３２の数を同数とすることで、ラベル作成装置１の厚み方向における重量バランスを向上できる。また、電池収納部３０の一方側の第１側壁３４ａ及び他方側の第２側壁３４ｂにおける第１端子３７と第２端子３８の数が同数となるので、端子配置のバランスをさらに向上できる。
【００４４】
また、本実施形態では特に、電池収納部３０は、６個の乾電池３２が俵積み状に２段に積み重ねて配置されると共に、各段における乾電池３２の数が３個となるように、構成される。このように、乾電池３２を６個使用することにより、ラベル作成装置１のように、サーマルヘッド２３の複数の発熱素子の通電時にかなりの大電流を必要とする電子機器に対しても、必要な電力を供給することが可能である。
【００４５】
また、本実施形態では特に、上述した電池収納部３０による電池収納構造を、ユーザが携帯して使用する携帯型のラベル作成装置１に適用する。このため、電池収納部３０での乾電池３２の配置によりラベル作成装置１の厚みを薄くできることは、携帯性の向上につながり、非常に有効である。
【００４６】
本発明は、上記実施形態に限られるものではなく、その趣旨及び技術的思想を逸脱しない範囲内で種々の変形が可能である。
【００４７】
なお、以上既に述べた以外にも、上記実施形態による手法を適宜組み合わせて利用しても良い。
【００４８】
その他、一々例示はしないが、本発明は、その趣旨を逸脱しない範囲内において、種々の変更が加えられて実施されるものである。
【符号の説明】
【００４９】
１                ラベル作成装置（電子機器）
３                カバー
１１              カートリッジ
２３              サーマルヘッド（印字手段）
３０              電池収納部
３２              乾電池
３２ａ            正極
３２ｂ            負極
３３              充電池
３４ａ            第１側壁（側壁）
３４ｂ            第２側壁（側壁）
３７              第１端子
３８              第２端子
３９              第１凹部
４０              第２凹部
【図１】
2014167853.tif 000003
【図２】
2014167853.tif 000004
【図３】
2014167853.tif 000005
【図４】
2014167853.tif 000006
【図５】
2014167853.tif 000007
【図６】
2014167853.tif 000008
【図７】
2014167853.tif 000009
【図８】
2014167853.tif 000010